(57)【要約】【課題】費目をグループ化することで、１つの料金表の改定で同じグループの費目を使用している料金表の単価も変更することが可能な料金プラン変更装置、料金プラン変更方法、及び料金プラン変更プログラムを提供すること。【解決手段】本実施の形態に係る料金プラン変更装置は、表示部に表示される画面上で、料金プランの作成時に別の料金プランのコピーを行うことで、費目のグループ化を行う費目グループ化手段と、記画面上で、料金プランの単価を変更する単価変更手段と、料金プランの単価の変更が行われた場合に、料金費目単価テーブルの同一のシーケンシャル番号の単価を変更すると共に、費目のグループ化されている料金プランの同一のシーケンシャル番号の単価を変更する単価変更反映手段と、を備えている。【選択図】図１
2020166669.tif 000002
【特許請求の範囲】
【請求項１】
記憶部及び制御部を備えた料金プラン変更装置であって、
前記記憶部には、
シーケンシャル番号と、費目とを関連づけて登録した料金費目テーブルと、
シーケンシャル番号と、教習種別区分と、教習車種区分と、所持免許区分とを関連づけて登録した料金費目プランテーブルと、
シーケンシャル番号と、費目と、単価とを関連づけて登録した料金費目単価テーブルと、を備え、
前記制御部は、
表示部に表示される画面上で、料金プランの作成時に別の料金プランのコピーを行うことで、費目のグループ化を行う費目グループ化手段と、
前記画面上で、料金プランの単価を変更する単価変更手段と、
前記料金プランの単価の変更が行われた場合に、前記料金費目単価テーブルの同一のシーケンシャル番号の単価を変更すると共に、前記費目のグループ化されている料金プランの同一のシーケンシャル番号の単価を変更する単価変更反映手段と、
を備えたことを特徴とする料金プラン変更装置。
【請求項２】
制御部及び記憶部を備えた情報処理装置で実行される料金プラン変更方法であって、
前記記憶部には、
シーケンシャル番号と、費目とを関連づけて登録した料金費目テーブルと、
シーケンシャル番号と、教習種別区分と、教習車種区分と、所持免許区分とを関連づけて登録した料金費目プランテーブルと、
シーケンシャル番号と、費目と、単価とを関連づけて登録した料金費目単価テーブルと、
を備え、
前記制御部において実行される、
表示部に表示される画面上で、料金プランの作成時に別の料金プランのコピーを行うことで、費目のグループ化を行う費目グループ化ステップと、
前記画面上で、料金プランの単価を変更する単価変更ステップと、
前記料金プランの単価の変更が行われた場合に、前記料金費目単価テーブルの同一のシーケンシャル番号の単価を変更すると共に、前記費目のグループ化されている料金プランの同一のシーケンシャル番号の単価を変更する単価変更反映ステップと、
を含むことを特徴とする料金プラン変更方法。
【請求項３】
制御部及び記憶部を備えた情報処理装置に実行させるための料金プラン変更プログラムであって、
前記記憶部には、
シーケンシャル番号と、費目とを関連づけて登録した料金費目テーブルと、
シーケンシャル番号と、教習種別区分と、教習車種区分と、所持免許区分とを関連づけて登録した料金費目プランテーブルと、
シーケンシャル番号と、費目と、単価とを関連づけて登録した料金費目単価テーブルと、
を備え、
前記制御部において、
表示部に表示される画面上で、料金プランの作成時に別の料金プランのコピーを行うことで、費目のグループ化を行う費目グループ化ステップと、
前記画面上で、料金プランの単価を変更する単価変更ステップと、
前記料金プランの単価の変更が行われた場合に、前記料金費目単価テーブルの同一のシーケンシャル番号の単価を変更すると共に、前記費目のグループ化されている料金プランの同一のシーケンシャル番号の単価を変更する単価変更反映ステップと、
を実行するための料金プラン変更プログラム。
【発明の詳細な説明】
【技術分野】
【０００１】
本発明は、料金プラン変更装置、料金プラン変更方法、及び料金プラン変更プログラムに関する。
【背景技術】
【０００２】
従来、教習所の料金プランの入力に関するシステムとして、例えば、特許文献１がある。かかる特許文献１のシステムでは、業務システムにおける情報入力の過程を作業項目単位で管理する情報入力過程管理装置であって、制御部は、情報入力を行う情報入力部と、情報入力の途中で入力作業を中断した場合に、継続入力すべき作業項目状態を示すデータを入力するジョブ状態データ入力部と、入力された作業項目状態のデータに基づいて、作業項目一覧の中のどの作業項目で情報入力が中断されたのかを示すマークを表示する表示制御部と、を備えている。
【先行技術文献】
【特許文献】
【０００３】
【特許文献１】特開２０１８−５５２６７号公報
【発明の概要】
【発明が解決しようとする課題】
【０００４】
しかしながら、特許文献１では、費目をグループ化することで、１つの料金表の改定で同じグループの費目を使用している料金表の単価も変更することに関して何等記載されていない。
【０００５】
本発明は、上記に鑑みてなされたものであり、費目をグループ化することで、１つの料金表の改定で同じグループの費目を使用している料金表の単価も変更することが可能な料金プラン変更装置、料金プラン変更方法、及び料金プラン変更プログラムを提供することを目的とする。
【課題を解決するための手段】
【０００６】
上述した課題を解決し、目的を達成するために、本発明は、記憶部及び制御部を備えた料金プラン変更装置であって、前記記憶部には、シーケンシャル番号と、費目とを関連づけて登録した料金費目テーブルと、シーケンシャル番号と、教習種別区分と、教習車種区分と、所持免許区分とを関連づけて登録した料金費目プランテーブルと、シーケンシャル番号と、費目と、単価とを関連づけて登録した料金費目単価テーブルと、を備え、前記制御部は、表示部に表示される画面上で、料金プランの作成時に別の料金プランのコピーを行うことで、費目のグループ化を行う費目グループ化手段と、前記画面上で、料金プランの単価を変更する単価変更手段と、前記料金プランの単価の変更が行われた場合に、前記料金費目単価テーブルの同一のシーケンシャル番号の単価を変更すると共に、前記費目のグループ化されている料金プランの同一のシーケンシャル番号の単価を変更する単価変更反映手段と、を備えたことを特徴とする。
【０００７】
また、上述した課題を解決し、目的を達成するために、本発明は、制御部及び記憶部を備えた情報処理装置で実行される料金プラン変更方法であって、前記記憶部には、シーケンシャル番号と、費目とを関連づけて登録した料金費目テーブルと、シーケンシャル番号と、教習種別区分と、教習車種区分と、所持免許区分とを関連づけて登録した料金費目プランテーブルと、シーケンシャル番号と、費目と、単価とを関連づけて登録した料金費目単価テーブルと、を備え、前記制御部において実行される、表示部に表示される画面上で、料金プランの作成時に別の料金プランのコピーを行うことで、費目のグループ化を行う費目グループ化ステップと、前記画面上で、料金プランの単価を変更する単価変更ステップと、前記料金プランの単価の変更が行われた場合に、前記料金費目単価テーブルの同一のシーケンシャル番号の単価を変更すると共に、前記費目のグループ化されている料金プランの同一のシーケンシャル番号の単価を変更する単価変更反映ステップと、を含むことを特徴とする。
【０００８】
また、上述した課題を解決し、目的を達成するために、本発明は、制御部及び記憶部を備えた情報処理装置に実行させるための料金プラン変更プログラムであって、前記記憶部には、シーケンシャル番号と、費目とを関連づけて登録した料金費目テーブルと、シーケンシャル番号と、教習種別区分と、教習車種区分と、所持免許区分とを関連づけて登録した料金費目プランテーブルと、シーケンシャル番号と、費目と、単価とを関連づけて登録した料金費目単価テーブルと、を備え、前記制御部において、表示部に表示される画面上で、料金プランの作成時に別の料金プランのコピーを行うことで、費目のグループ化を行う費目グループ化ステップと、前記画面上で、料金プランの単価を変更する単価変更ステップと、前記料金プランの単価の変更が行われた場合に、前記料金費目単価テーブルの同一のシーケンシャル番号の単価を変更すると共に、前記費目のグループ化されている料金プランの同一のシーケンシャル番号の単価を変更する単価変更反映ステップと、を実行するための料金プラン変更プログラムであることを特徴とする。
【発明の効果】
【０００９】
本発明によれば、費目をグループ化することで、１つの料金表の改定で同じグループの費目を使用している料金表の単価も変更することが可能になるという効果を奏する。
【図面の簡単な説明】
【００１０】
【図１】図１は、本実施の形態に係る料金プラン変更装置の一例を示すブロック図である。
【図２】図２は、料金費目テーブル、料金費目プランテーブル、及び料金費目単価テーブルの構成例を示す図である。
【図３】図３は、ＳＥＱＮＯ管理と料金プランの単価の変更を説明するための図である。
【図４】図４は、料金プランの作成とテーブルの更新を説明するための図である。
【図５】図５は、料金プラン作成画面の表示例を示す図である。
【図６】図６は、料金プラン作成画面の表示例を示す図である。
【図７】図７は、料金プラン作成画面の表示例を示す図である。
【図８】図８は、料金プラン作成画面の表示例を示す図である。
【図９】図９は、料金プラン作成画面の表示例を示す図である。
【図１０】図１０は、ＳＥＱＮＯ確認画面の表示例を示す図である。
【図１１】図１１は、料金プラン作成画面で料金を作成した場合のテーブルの更新を説明するための図である。
【発明を実施するための形態】
【００１１】
本発明の実施形態を図面に基づいて詳細に説明する。なお、本発明は本実施形態により限定されるものではない。
【００１２】
［１．概要］
例えば、自動車教習所運営者は、複数の料金プランで料金体系を構成し、顧客毎のリーズに合わせて料金プランを選択させている。従来の料金管理システムでは、同一費目で同一単価であっても車種毎に費目を準備し、料金改定があった場合はそれぞれの料金表全てに対して価格改定を行う必要があった。そのため、担当者の作業負担が非常に高い作業となっていた。
【００１３】
そこで、本実施の形態では、同一費目、同一単価、同一売上タイミングの費目をグループ化することで、１つの料金表の改定で同じグループの費目を使用している料金表の単価も一斉に変更することで、消費税対応や価格変更の作業負荷を低減している。
【００１４】
［２．構成］
本実施形態に係る料金プラン変更装置の構成の一例について、図面を参照して説明する。
【００１５】
図１は、本実施の形態に係る料金プラン変更装置の一例を示すブロック図である。料金プラン変更装置１００は、例えば、自動者教習所の料金プランの変更に好適に使用することができる。料金プラン変更装置１００は、市販のデスクトップ型パーソナルコンピュータである。なお、料金プラン変更装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００１６】
料金プラン変更装置１００は、制御部１０２と通信インターフェース部１０４と記憶部１０６と入出力インターフェース部１０８と、を備えている。料金プラン変更装置１００が備えている各部は、任意の通信路を介して通信可能に接続されている。  
【００１７】
通信インターフェース部１０４は、ルータ等の通信装置および専用線等の有線又は無線の通信回線を介して、料金プラン変更装置１００をネットワーク３００に通信可能に接続する。通信インターフェース部１０４は、他の装置と通信回線を介してデータを通信する機能を有する。ここで、ネットワーク３００は、料金プラン変更装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。これにより、通信インターフェース部１０４は、ネットワーク３００を介して、サーバ２００とデータ通信可能に構成されている。
【００１８】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。  
【００１９】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２０】
また、この記憶部１０６は、教習カリキュラムテーブル１０６ａと、費目テーブル１０６ｂと、料金費目テーブル１０６ｃと、料金費目プランテーブル１０６ｄと、料金費目単価テーブル１０６ｅと、料金プランファイル１０６ｆとを備えている。図２は、料金費目テーブル１０６ｃ、料金費目プランテーブル１０６ｄ、及び料金費目単価テーブル１０６ｅの構成例を示す図である。図４は、ＳＥＱＮＯ管理と料金プランの単価の変更を説明するための図である。図５は、料金プランの作成とテーブルの更新を説明するための図である。
【００２１】
教習カリキュラムテーブル１０６ａは、各教習とカリキュラムを関連づけて登録したテーブル等で構成することができる。費目テーブル１０６ｂは、費目コードと費目名を関連づけて登録したテーブル等で構成することができる。
【００２２】
料金費目テーブル１０６ｃは、図２に示すように、ＳＥＱＮＯ、費目コード、補助費目コード、売上エリア区分、自動引落区分、段階区分、任意区分、補助費目コード、自動引落区分のデータを関連づけて登録している。
【００２３】
料金費目プランテーブル１０６ｄは、図２に示すように、教習種別区分、教習車種区分、限定条件区分、所持免許区分、ＳＥＱＮＯのデータを関連づけて登録している。
【００２４】
料金費目単価テーブル１０６ｅは、図２に示すように、ＳＥＱＮＯ、費目コード、補助費目コード、単価順番、及び単価のデータを関連づけて登録している。
【００２５】
料金プランファイル１０６ｆは、料金プランを格納するためのファイルである。料金プランは、教習種別・希望免許（普通車ＭＴ、普通車ＡＴ）・所持免許（なし、原付、二輪）毎に、ＳＥＱＮＯ、費目、費目名、単価のデータを含んだ構成となっている。
【００２６】
図３において、同じ費目コード・補助費目コードでも、料金費目テーブル１０６ｃの各種区分や料金費目単価テーブル１０６ｅの単価が異なる場合は、別ＳＥＱＮＯ管理となる。例えば、１行目は、ＳＥＱＮＯ「１」、費目コード「１００（入学金）、補助費目コード「０」、単価「５０，０００」、２行目は、ＳＥＱＮＯ「２」、費目コード「１００（入学金）」、補助費目コード「０」、単価「４５，０００」、３行目は、ＳＥＱＮＯ「３」、費目コード「１０１（技能料）」、補助費目コード「０」、単価「４，０００」、４行目は、ＳＥＱＮＯ「４」、費目コード「１０１（技能料）」、補助費目コード「０」、単価「４，０００」、５行目は、ＳＥＱＮＯ「５」、費目コード「１１０（学科料）」、補助費目コード「０」、単価「２，２００」となる。
【００２７】
料金プラン入力で単価等の変更があった場合は変更対象料金プラン以外にも同−ＳＥＱＮＯの費目を使用している料金プランも単価の変更が自動で行われる。
【００２８】
単価改定があった場合について説明する。図３（Ａ）は料金プランの一例を示しており、１行目は、車種「普通車ＭＴ」、所持免許「なし」、費目「入学金」、単価「５０，０００」、ＳＥＱＮＯ「１」、２行目は、車種「普通車ＭＴ」、所持免許「原付」、費目「入学金」、単価「５０，０００」、ＳＥＱＮＯ「１」、３行目は、車種「普通車ＭＴ」、所持免許「二輪」、費目「入学金」、単価「４５，０００」、ＳＥＱＮＯ「２」、４行目は、車種「普通車ＡＴ」、所持免許「なし」、費目「入学金」、単価「５０，０００」、ＳＥＱＮＯ「１」、５行目は、車種「普通車ＡＴ」、所持免許「原付」、費目「入学金」、単価「５０，０００」、ＳＥＱＮＯ「１」、６行目は、車種「普通車ＡＴ」、所持免許「二輪」、費目「入学金」、単価「４５，０００」、ＳＥＱＮＯ「２」となっている。
【００２９】
普通ＭＴの所持免許なしの入学金の単価が変更になった場合、同じＳＥＱＮＯの費目全ての単価が変更になる。例えば、図３（Ｂ）に示すように、普通車ＭＴの所持免許なしの入学金の単価が「５０，００」から「５５，００」に変更された場合、ＳＥＱＮＯ「１」である１，２，４，５行目の単価が「５５，０００」に変更になる。
【００３０】
図４において、料金プランを作成する場合には、教習カリキュラムテーブル１０６ａと、費目テーブル１０６ｂと、料金費目テーブル１０６ｃと、料金費目プランテーブル１０６ｄと、料金費目単価テーブル１０６ｅが参照され、料金費目テーブル１０６ｃと、料金費目プランテーブル１０６ｄと、料金費目単価テーブル１０６ｅが更新される。後述するように、作成した料金プランを参照してコピーして作成された料金プランは、同一内容（同一ＳＥＱＮＯ）として作成され、この時点でグループ化される。
【００３１】
図１に戻り、制御部１０２は、料金プラン変更装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。ここで、制御部１０２は、機能概念的に、費目グループ化部１０２ａと、単価変更部１０２ｂと、単価変更反映部１０２ｃと、画面表示制御部１０２ｄと、マスタメンテ部１０２ｅとを備えている。
【００３２】
費目グループ化部１０２ａは、例えば、モニタ１１４に表示される料金プラン作成画面上でのオペレータの操作に応じて、料金プランの作成時に別の料金プランのコピーを行うことで、費目のグループ化を行う。
【００３３】
単価変更部１０２ｂは、例えば、モニタ１１４に表示される料金プラン作成画面上でのオペレータの操作に応じて、料金プランの単価を変更する。
【００３４】
単価変更反映部１０２ｃは、料金プランの単価の変更が行われた場合に、料金費目単価テーブルの同一のシーケンシャル番号の単価を変更すると共に、費目のグループ化されている料金プランの同一のシーケンシャル番号の単価を変更する。
【００３５】
マスタメンテ部１０２ｅは、モニタ１１４に表示される不図示のテーブルメンテ画面上でのオペレータの操作に応じて、教習カリキュラムテーブル１０６ａ、費目テーブル１０６ｂ、料金費目テーブル１０６ｃ、料金費目プランテーブル１０６ｄ、料金費目単価テーブル１０６ｅに対してデータの入力・追加・削除・変更等の編集（設定）を行うためのものである。
【００３６】
画面表示制御部１０２ｄは、モニタ１１４に表示する各種画面（例えば、料金プラン作成画面、テーブルメンテ画面等）の表示及びその入力を制御する。
【００３７】
［３．具体例］
本実施の形態に係る料金プラン変更装置１００の制御部１０２の処理の具体例について、図１〜図１１を参照して説明する。図５〜図９は、料金プラン作成画面の表示例を示す図である。図１０は、ＳＥＱＮＯ確認画面の表示例を示す図である。図１１は、料金プラン作成画面で料金を作成した場合のテーブルの更新を説明するための図である。
【００３８】
図５に示す料金プラン作成画面４００は、料金プランを選択するためのエリア４０１と、グループ化したい元をコピーするためのエリア４０２と、料金表が表示されるエリア４０３とを備えている。エリア４０１では、作成したい「＊教習種別」、「＊希望免許」、「＊所持免許」を選択する。図５に示す例では＊教習種別「一般」、＊希望免許「普通ＭＴ」、＊所持免許「原付」を選択されている。
【００３９】
図６に示す料金プラン作成画面４００において、エリア４０２で、グループ化したい元をコピーすると、料金表がコピーされてエリア４０３に表示される。これにより、グループ化される。「コピーボタン４０２ａ」は、入所・随時両方をコピーするためのボタンである。「入所のみコピーボタン４０２ｂ」は、入所のみをコピーするためのボタンである。「随時のみコピーボタン４０３ｃ」は、随時のみをコピーするためのボタンである。同図に示す例では、エリア４０２＊教習種別「一般」、＊希望免許「普通ＭＴ」、＊所持免許「免許無し」が選択されてコピーされている。
【００４０】
図７に示す料金プラン作成画面４００において、エリア４０３では、削除チエックボックス、ＳＥＱＮＯ、費目、費目名、料金改定日、改正前単価、改正後単価、入所・随時の項目について料金表が表示されている。エリア４０２において、＊教習種別「一般」、＊希望免許「普通ＭＴ」、＊所持免許「原付」の入校料の改定後単価を５０，０００円から５５，０００円に変更する。
【００４１】
図８に示す料金プラン作成画面４００において、＊教習種別「一般」、＊希望免許「普通ＭＴ」、＊所持免許「免無し」の料金表を確認すると、入校料の改定後単価が５０，０００円から５５，０００円に変更されている。
【００４２】
図９に示す料金プラン作成画面４００において、エリア４０２において、ＳＥＱＮＯがどの車種と同じかの確認は、明細をダブルクリックし、子画面であるＳＥＱＮＯ確認画面を表示して確認することができる。図１０は、ＳＥＱＮＯ確認画面の表示例を示している。なお、料金改定については料金改定日により改定前単価か改定後単価の金額をみるようになる。それにより事前に料金の作成の準備ができるようになる。
【００４３】
図１１は、料金プラン作成画面で料金を作成した場合のテーブルの更新を説明するための図である。図１１において、図６〜図８の料金プラン作成画面で普通車ＭＴ  所持免許：原付をコピーで作成した場合は、料金費目プランテーブル１０６ｄの教習種別、教習車、限定条件、所持免許は作成する料金表の車種が登録されＳＥＱＮＯはコピー元と同様の値が登録される。普通車ＭＴ、所持免許「無し」で金額変更があった場合は変更対象のＳＥＱＮＯの料金費目単価テーブル１０６ｅの金額が変更になる。他車種や他所持免許の料金表でも同じＳＥＱＮＯで料金表を作成していた場合は、自動的に金額が変更されたように料金プラン作成画面上は見える。
【００４４】
以上説明したように、本実施の形態によれば、シーケンシャル番号と、費目とを関連づけて登録した料金費目テーブル１０６ｃと、シーケンシャル番号と、教習種別区分と、教習車種区分と、所持免許区分とを関連づけて登録した料金費目プランテーブル１０６ｄと、シーケンシャル番号と、費目と、単価とを関連づけて登録した料金費目単価テーブル１０６ｅと、料金プラン作成画面上で、料金プランの作成時に別の料金プランのコピーを行うことで、費目のグループ化を行う費目グループ化部１０２ａと、料金プラン作成画面上で、料金プランの単価を変更する単価変更部１０２ｂと、料金プランの単価の変更が行われた場合に、料金費目単価テーブル１０６ｅの同一のシーケンシャル番号の単価を変更すると共に、費目のグループ化されている料金プランの同一のシーケンシャル番号の単価を変更する単価変更反映部１０２ｃと、を備えているので、費目をグループ化することで、１つの料金表の改定で同じグループの費目を使用している料金表の単価も変更することが可能になるという効果を奏する。
【００４５】
［４．他の実施形態］
本発明は、上述した実施形態以外にも、特許請求の範囲に記載した技術的思想の範囲内において種々の異なる実施形態にて実施されてよいものである。  
【００４６】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。  
【００４７】
また、本明細書中や図面中で示した処理手順、制御手順、具体的名称、各処理の登録データや検索条件等のパラメータを含む情報、画面例、データベース構成については、特記する場合を除いて任意に変更することができる。  
【００４８】
また、料金プラン変更装置１００に関して、図示の各構成要素は機能概念的なものであり、必ずしも物理的に図示の如く構成されていることを要しない。  
【００４９】
例えば、料金プラン変更装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて料金プラン変更装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。  
【００５０】
また、このコンピュータプログラムは、料金プラン変更装置１００に対して任意のネットワークを介して接続されたアプリケーションプログラムサーバに記憶されていてもよく、必要に応じてその全部または一部をダウンロードすることも可能である。  
【００５１】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  
【００５２】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。  
【００５３】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。  
【００５４】
また、料金プラン変更装置１００は、既知のパーソナルコンピュータまたはワークステーション等の情報処理装置として構成してもよく、また、任意の周辺装置が接続された当該情報処理装置として構成してもよい。また、料金プラン変更装置１００は、当該情報処理装置に本実施形態で説明した処理を実現させるソフトウェア（プログラムまたはデータ等を含む）を実装することにより実現してもよい。  
【００５５】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。  
【符号の説明】
【００５６】
１００  料金プラン変更装置
１０２  制御部
１０２ａ  費目グループ化部
１０２ｂ  単価変更部
１０２ｃ  単価変更反映部
１０２ｄ  画面表示制御部
１０２ｅ  マスタメンテ部
１０４  通信インターフェース部
１０６  記憶部
１０６ａ  教習カリキュラムテーブル
１０６ｂ  費目テーブル
１０６ｃ  料金費目テーブル
１０６ｄ  料金費目プランテーブル
１０６ｅ  料金費目単価テーブル
１０６ｆ  料金プランファイル
１０８  入出力インターフェース部
１１２  入力装置
１１４  出力装置
３００  ネットワーク
【図１】
2020166669.tif 000003
【図２】
2020166669.tif 000004
【図３】
2020166669.tif 000005
【図４】
2020166669.tif 000006
【図５】
2020166669.tif 000007
【図６】
2020166669.tif 000008
【図７】
2020166669.tif 000009
【図８】
2020166669.tif 000010
【図９】
2020166669.tif 000011
【図１０】
2020166669.tif 000012
【図１１】
2020166669.tif 000013